【事件の表示】
　特許第３０１１１８２号「パチンコ機」の請求項１に係る特許に対する特許異議の申立てについて、次のとおり決定する。
【結　論】
　訂正を認める。
　特許第３０１１１８２号の請求項１に係る特許を維持する。
【理　由】
【１】手続きの経緯
　特許３０１１１８２号の請求項１に係る発明（以下「本件発明」という。）は、平成３年４月４日に出願した特願平３−９９３７２号を分割して出願（特願平１０−１０８５９６号）したものであって、平成１１年１２月１０日に特許の設定登録がなされた。
　これに対して、「鈴木暁子」より特許異議の申立てがなされ、取消理由通知がなされ、その指定期間内である平成１２年１２月２５日に訂正請求がなされた。
　
【２】訂正の内容
（１）特許請求の範囲の訂正
　【請求項１】を下記のとおり訂正。
　「遊技者が借り受ける貸出玉と入賞に基づく景品玉のいずれをもその前面に設けられる上皿又は下皿に排出する玉排出装置を備えたパチンコ機において、
　前記貸出玉と景品玉とを前記上皿と前記玉排出装置との間に形成される別々の通路であって前記貸出玉と景品玉とを誘導し且つ貸出玉を前記下皿に導くことのない貸出玉排出通路と前記景品玉を誘導し且つ溢れた景品玉を前記下皿に導く景品玉排出通路とを介して排出されるようにしたことを特徴とするパチンコ機。」
（２）発明の詳細な説明の訂正
（２−１）段落【０００４】を下記のとおり訂正。
　「【課題を解決するための手段】
　上記した目的を達成するために、本発明においては、
　遊技者が借り受ける貸出玉と入賞に基づく景品玉のいずれをもその前面に設けられる上皿又は下皿に排出する玉排出装置を備えたパチンコ機において、
　前記貸出玉と景品玉とを前記上皿と前記玉排出装置との間に形成される別々の通路であって前記貸出玉と景品玉とを誘導し且つ貸出玉を前記下皿に導くことのない貸出玉排出通路と前記景品玉を誘導し且つ溢れた景品玉を前記下皿に導く景品玉排出通路とを介して排出されるようにしたことを特徴とするものである。」
（２−２）段落【０００５】を下記のとおり訂正。
「上記のように構成することにより、貸出玉と景品玉とが上皿と玉排出装置との間に形成される別々の通路であって貸出玉を誘導し且つ貸出玉を下皿に導くことのない貸出玉排出通路と景品玉を誘導し且つ溢れた景品玉を下皿に導く景品玉排出通路とを介して排出されるので、入賞に基づく景品玉の払出の確認と貸出要求に基づく貸出玉の払出の確認を正確に行うことができる。」
（２−３）段落【００３７】を下記のとおり訂正。
「【発明の効果】
　以上説明したところから明らかなように、本発明においては、貸出玉と景品玉とが上皿と玉排出装置との間に形成される別々の通路であって貸出玉を誘導し且つ貸出玉を下皿に導くことのない貸出玉排出通路と景品玉を誘導し且つ溢れた景品玉を下皿に導く景品玉排出通路とを介して排出されるので、入賞に基づく景品玉の払出の確認と貸出要求に基づく貸出玉の払出の確認を正確に行うことができる。」
　
【３】訂正の適否についての判断
（１）特許請求の範囲の訂正
　上記訂正は、訂正前の請求項１に記載された「別々の通路」を明細書に記載されていた実施例に即して下位概念に限定したものであり、特許請求の範囲の減縮に該当し、新規事項の追加に該当せず、実質的に特許請求の範囲を拡張又は変更するものでもない。
（２）発明の詳細な説明の訂正
　上記訂正は、前記特許請求の範囲の減縮に伴って、減縮された特許請求の範囲の記載と発明の詳細な説明の記載とを整合させるための不明瞭な記載の釈明を目的とするものと認められる。
（３）むすび
　以上のとおりであるから、上記訂正は、特許法第１２０条の４第２，３項で準用する第１２６条第２，３項の規定に適合するので、当該訂正を認める。
　
【４】特許異議申立てについての判断
（１）本件発明
　本件発明は、上記訂正明細書の請求項１に記載された事項により特定されるとおりのものである。
（２）異議申立ての理由の概要
　申立人は、証拠として甲第１号証を提出し、訂正前の本件発明は、先願明細書（特願平３−７７０９４号（特開平４−２８８１８３号））に記載された発明であり、特許法第２９条の２第１項の規定により、特許を受けることができないのものであるから、本件発明の特許を取り消すべき旨主張している。
（３）対比・判断
　訂正後の本件発明と上記先願明細書記載のものとを対比すると、先願明細書には、少なくとも本件発明の「貸出玉を下皿に導くことのない貸出玉排出通路」について何等記載されておらず、両者の構成は相違している。
　すなわち、先願明細書に記載された「第２排出通路４０ｂ（本件発明における「貸出玉排出通路」に相当。）」は、図８等の記載から明らかなとおり「貸出玉を下皿に導くことができる」ものである。
　したがって、本件発明は、先願明細書に記載された発明と実質的に同一であるとは、いえない。
（４）むすび
　以上のとおりであるから、特許異議申立ての理由及び証拠によっては、本件発明についての特許を取り消すことはできない。
　また、他に本件発明についての特許を取消すべき理由を発見しない。
　よって、結論のとおり決定する。
【異議決定日】
平成１３年１月１６日（２００１．１．１６）
【訂正の要旨】
（１）特許請求の範囲の訂正
　【請求項１】を下記のとおり訂正。
　「遊技者が借り受ける貸出玉と入賞に基づく景品玉のいずれをもその前面に設けられる上皿又は下皿に排出する玉排出装置を備えたパチンコ機において、
　前記貸出玉と景品玉とを前記上皿と前記玉排出装置との間に形成される別々の通路であって前記貸出玉と景品玉とを誘導し且つ貸出玉を前記下皿に導くことのない貸出玉排出通路と前記景品玉を誘導し且つ溢れた景品玉を前記下皿に導く景品玉排出通路とを介して排出されるようにしたことを特徴とするパチンコ機。」
（２）発明の詳細な説明の訂正
（２−１）段落【０００４】を下記のとおり訂正。
　「【課題を解決するための手段】
　上記した目的を達成するために、本発明においては、
　遊技者が借り受ける貸出玉と入賞に基づく景品玉のいずれをもその前面に設けられる上皿又は下皿に排出する玉排出装置を備えたパチンコ機において、
　前記貸出玉と景品玉とを前記上皿と前記玉排出装置との間に形成される別々の通路であって前記貸出玉と景品玉とを誘導し且つ貸出玉を前記下皿に導くことのない貸出玉排出通路と前記景品玉を誘導し且つ溢れた景品玉を前記下皿に導く景品玉排出通路とを介して排出されるようにしたことを特徴とするものである。」
（２−２）段落【０００５】を下記のとおり訂正。
　「上記のように構成することにより、貸出玉と景品玉とが上皿と玉排出装置との間に形成される別々の通路であって貸出玉を誘導し且つ貸出玉を下皿に導くことのない貸出玉排出通路と景品玉を誘導し且つ溢れた景品玉を下皿に導く景品玉排出通路とを介して排出されるので、入賞に基づく景品玉の払出の確認と貸出要求に基づく貸出玉の払出の確認を正確に行うことができる。」
（２−３）段落【００３７】を下記のとおり訂正。
「【発明の効果】
　以上説明したところがら明らかなように、本発明においては、貸出玉と景品玉とが上皿と玉排出装置との間に形成される別々の通路であって貸出玉を誘導し且つ貸出玉を下皿に導くことのない貸出玉排出通路と景品玉を誘導し且つ溢れた景品玉を下皿に導く景品玉排出通路とを介して排出されるので、入賞に基づく景品玉の払出の確認と貸出要求へに基づく貸出玉の払出の確認を正確に行うことができる。」
（５４）【発明の名称】
パチンコ機
（５７）【特許請求の範囲】
　【請求項１】遊技者が借り受ける貸出玉と入賞に基づく景品玉のいずれをもその前面に設けられる上皿
又は下皿
　前記貸出玉と景品玉とを前記上皿と前記玉排出装置との間に形成される別々の通路
であって前記貸出玉を誘導し且つ貸出玉を前記下皿に導くことのない貸出玉排出通路と前記景品玉を誘導し且つ溢れた景品玉を前記下皿に導く景品玉排出通路と
【発明の詳細な説明】
　　　【０００１】
　　【発明の属する技術分野】
　本発明は、遊技者が借り受ける貸出玉と入賞に基づく景品玉を排出する玉排出装置を備えたパチンコ機に関するものである。
　　　【０００２】
　　【従来の技術】
　従来、入賞玉の発生に基づいて所定個数の景品玉を排出するとともに遊技者が遊技を開始するに当って借り受ける貸出玉を排出する玉排出装置をパチンコ機の機構板に設け、入賞信号又は貸出要求信号があったときに、その玉排出装置を駆動して景品玉や貸出玉を排出するパチンコ機が提案されつつある。
　　　【０００３】
　　【発明が解決しようとする課題】
　上記したパチンコ機にあっては、入賞信号と貸出要求信号とが相前後して導出されたときには、景品玉と貸出玉とが連続して排出されるため、入賞に基づく景品玉が正確に払い出されたのか、あるいは貸出要求信号によって払い出された貸出玉が正確に払い出されたのか確認することができないという問題があった。本発明は、上記した問題点に鑑みなされたもので、その目的とするところは、景品玉の払出の確認と貸出玉の払出の確認を行うことができるパチンコ機を提供することにある。
　　　【０００４】
　　【課題を解決するための手段】
　上記した目的を達成するために、本発明においては、
　遊技者が借り受ける貸出玉と入賞に基づく景品玉のいずれをもその前面に設けられる上皿
又は下皿
　前記貸出玉と景品玉とを前記上皿と前記玉排出装置との間に形成される別々の通路
であって前記貸出玉を誘導し且つ貸出玉を前記下皿に導くことのない貸出玉排出通路と前記景品玉を誘導し且つ溢れた景品玉を前記下皿に導く景品玉排出通路と
　　　【０００５】
　上記のように構成することにより、貸出玉と景品玉とが上皿と玉排出装置との間に形成される別々の通路
であって貸出玉を誘導し且つ貸出玉を下皿に導くことのない貸出玉排出通路と景品玉を誘導し且つ溢れた景品玉を下皿に導く景品玉排出通路と
　　　【０００６】
　　【発明の実施の形態】
　以下、図面を参照して、本発明の実施形態について説明する。まず、図５乃至図７を参照して実施形態に係る玉排出装置が適用されるパチンコ機の全体の構成について説明する。本実施形態において適用される玉排出装置としては、景品玉排出装置３３が例示される。しかして、図５は、パチンコ機１の正面から見た斜視図であり、図６は、パチンコ機１の背面図であり、図７は、景品玉排出装置３３の拡大図である。図５において、パチンコ機１は、機枠２の前面に前面枠３を開閉自在に装着している。前面枠３の前面には、ガラス扉枠４及び前面板５が開閉自在に装着されている。また、前記前面枠３の裏面には、取付枠を介して遊技盤６が着脱自在に装着される。遊技盤６の表面には、発射位置から発射された打球を誘導するガイドレール７が設けられ、そのガイドレール７で囲まれる遊技部には、その中央に図柄表示装置８が配置され、該図柄表示装置８の下方に大型の入賞口を有する変動入賞装置１０が配置されている。また、図柄表示装置８と変動入賞装置１０との間には、水平方向に３つの始動入賞口９が配置され、図柄表示装置８の上部に通常の入賞口１１が配置され、図柄表示装置８の左右両側方には、チューリップ式入賞口１２がそれぞれ配置されている。また、遊技部の最下部には、アウトロ１３が設けられている。
　　　【０００７】
　上記した遊技盤６に配置される各部品は、以下のように動作される。即ち、ガイドレール７に沿って発射された打球が遊技盤６の表面を落下する際に、いずれかの始動入賞口９に入賞すると、図柄表示装置８の図柄が変動表示され、その変動開始から一定時間（例えば、５秒）が経過したとき、又は図示しないストップボタンを遊技者が操作したときにその変動を停止する。そして、停止したときの図柄の組み合わせが、予め定めた大当たり図柄の組み合わせであるときに、大当たり状態となって変動入賞装置１０が一定時間（例えば、３０秒）経過するまで、又は、所定個数（例えば、１０個）の入賞玉が発生するまで開放し、その開放中に変動入賞装置１０内に設けられるＶ入賞口（図示しない）に打球が入賞すると、再度上記した開放状態を繰り返し、そのような繰り返しを最高１６回行うことができるようになっている。また、変動入賞装置１０に入賞した入賞玉によって排出される景品玉数は、例えば、１５個であり、始動入賞口９に入賞した入賞玉によって排出される景品玉数は、例えば、７個である。また、変動入賞装置１０及び始動入賞口９以外の入賞口１１、及びチューリップ式入賞口１２への入賞玉によって排出される景品玉数は、例えば、１５個である。このように、本実施形態においては、排出される景品玉数が２種類となるように遊技盤６上の入賞口がグループ分けされており、それぞれの景品玉数が排出されるときに異なる音声が発生されるようになっている。
　　　【０００８】
　前記前面板５の前面には、投入された貸出玉又は排出された景品玉をガイドレール７の発射位置へ一個づつ導くための上皿１４が取り付けられている。しかして、図示の上皿１４においては、景品玉と貸出玉とがパチンコ機１の背面から上皿１４の上流側に形成される流出口１５を介して排出されるようになっているが、打球の入賞に基づく景品玉の流出口１５ａと、遊技者が借り受ける貸出玉の流出口１５ｂとが異なるようになっている。このため、遊技者は、景品玉と貸出玉とが共に自動的に上皿１４に排出されるので、便利であると共に、景品玉が排出されたのか、又は貸出玉が排出されたのかを容易に理解することができる。
　　　【０００９】
　また、前面枠３の下部には、発射位置の玉を遊技部へ打出すための操作ハンドル１６と、上皿１４に貯留できない余剰の景品玉を溜める下皿１７が設けられている。この下皿１７は、前面枠３の下部に固着される支持部材１８に灰皿１９やカード装置２０と一体的に形成されている。カード装置２０は、遊技客が購入したカードを挿入するカード挿入口２１と、該カード挿入口２１の内部に設けられるカード読取器（図示しない）と、カードに記録された持ち玉情報に関連する残額表示器２２と、カードに記録された持ち玉情報の範囲内で遊技者の所望する数の貸出玉を借り出す際に操作する貸出ボタン２３ａ〜２３ｃと、前記カード挿入口２１に差込んだカードを返却してもらう際に操作する終了スイッチ２４とから構成されている。これらのカード装置２０は、図４に示すように前記前面枠３の下部裏面に止着されるカード装置制御基板２５によって制御される。
　　　【００１０】
　ところで、前記カードには、遊技者が借り受けた貸出玉に係る情報、例えば、１０００円であれば、１０００円という金額情報（又は２５０個という個数情報）、５０００円であれば、５０００円という金額情報（又は１２５０個という個数情報）、が記録されており、カードをカード挿入口２１に挿入した後、貸出ボタン２３ａ〜２３ｃのいずれかを操作すると、それに対応する金額に相当する貸出玉が後述する景品玉排出装置３３から排出される。即ち、貸出ボタン２３ａを操作したときには、１００円に相当する貸出玉２５個分が景品玉排出装置３３から排出され、貸出ボタン２３ｂを操作したときには、３００円に相当する貸出玉７５個分が景品玉排出装置３３から排出され、貸出ボタン２３ｃを操作したときには、５００円に相当する貸出玉１２５個分が景品玉排出装置３３から排出される。そして、本実施形態においては、それぞれの貸出ボタン２３ａ〜２３ｃを操作したときに異なる音声が発生されるようになっている。また、カード装置２０の内部には、図示しないが貸出ボタン２３ａ〜２３ｃに対応する貸出スイッチＡ〜Ｃが内蔵されている。
　　　【００１１】
　なお、図示した実施形態では、カード装置２０を上皿１４が形成される支持部材１８に一体的に形成したものを示したが、これを着脱可能に分離できるようにしてもよい。この分離した場合、装着する位置は、支持部材１８、前面枠３、機枠２のいずれでもよい。また、カード装置制御基板２５を前面枠３の裏面下部に取着したものを示したが、カード装置制御基板２５をカード装置２０を構成する部品を収納するボックス内に一体的に収納しても良い。
　　　【００１２】
　一方、図６に示すように、前記遊技盤６の裏面には、機構板２６が開閉自在に装着されている。この機構板２６は、遊技盤６の裏面に相対する板状部２６ａを有し、その板状部２６ａと遊技盤６の裏面との問に入賞玉集合空間が形成され、更にその下方部に樋状の第２入賞玉集合樋２８が形成されている。この第２入賞玉集合樋２８は、遊技盤６に設けられる複数の入賞口のうち、１５個の景品玉を排出するための入賞口１０、１１、１２に入賞した入賞玉を集合させるものである。これに対し、７個の景品玉を排出させるための始動入賞口９の後方は、前記板状部２６ａから後方に突出しており、その下方に第２入賞玉集合樋２８と前後方向に積層して設けられる第１入賞玉集合樋２７に集合せしめられるようになっている。そして、第１入賞玉集合樋２７と第２入賞玉集合樋２８の流下端には、流下する入賞玉を検出する第１入賞玉検出スイッチ２９と第２入賞玉検出スイッチ３０とがそれぞれ設けられている。この第１入賞玉検出スイッチ２９と第２入賞玉検出スイッチ３０との検出信号は、後述する排出制御基板５０に設けられる第１入賞カウンタ５４と第２入賞カウンタ５５に記憶される。また、第１入賞玉検出スイッチ２９と第２入賞玉検出スイッチ３０とを通過した玉は、パチンコ機１の外に排出される。なお、第１入賞玉検出スイッチ２９と第２入賞玉検出スイッチ３０の配置位置で一旦入賞玉を停止させ、その入賞玉に対応する景品玉の排出動作が終了した後に、当該入賞玉をパチンコ機１の外に排出するようにしてもよい。このように構成することにより、停電時等に景品玉の排出を終了していない証拠玉を残留することができて、遊技者との間でトラブルが生じない。
　　　【００１３】
　また、機構板２６の裏面上部には、景品玉タンク３１が固着される。景品玉タンク３１の下方には、景品玉を１列に整列して景品玉排出装置３３へ導くための景品玉誘導樋３２が形成される。景品玉排出装置３３は、図７に示すように一列になって流下する景品玉の１個づつと係合する凹部が外周に形成されたスプロケット３４と、該スプロケツト３４の外周と係合してその回転を許容する排出ソレノイド３５と、排出された景品玉数を計数するための排出玉検出スイッチ３６（投受光方式）とから構成される。しかして、景品玉排出装置３３は、カードの金額情報の範囲内での排出指令信号があったとき、又は入賞玉の発生に基づいて排出指令信号があったときに、排出ソレノイド３５が励磁され、スプロケット３４の回転を許容して貸出玉又は景品玉を排出玉検出スイッチ３６で検出しながら排出し、排出玉検出スイッチ３６の検出信号数が排出指令信号の種類に対応して予め定められた所定値に達すると排出ソレノイド３５の励磁を終了して再度スプロケット３４と係合してその回転を停止するようになっている。
　　　【００１４】
　景品玉排出装置３３の下方には、景品玉排出装置３３から放出された景品玉をパチンコ機前面の上皿１４又は下皿１７へ導くための景品玉排出通路が形成されるが、本実施形態においては、前記したように１つの景品玉排出装置３３で景品玉の排出動作と、貸出玉の排出動作とを行うようにしており、且つそれぞれを別々の流出口１５ａ，１５ｂから排出するようにしているため、図６及び図７に示すような構造となっている。即ち、景品玉排出装置３３の下流側の玉の通路は、前記景品玉流出口１５ａに接続される景品玉排出通路３９と、前記貸出玉流出口１５ｂに接続される貸出玉排出通路４０とが並列するように立設され、その上部に流路切換弁３７が回動自在に設けられると共に、該流路切換弁３７を駆動するための流路切換ソレノイド３８が設けられている。しかして、流路切換弁３７は、通常の状態で図７に破線で示すように、傾斜した位置となって景品玉排出装置３３と景品玉排出通路３９とを連通させ、流路切換ソレノイド３８が励磁されたときに図７に一点鎖線で示すように、ほぼ起立した位置となって景品玉排出装置３３と貸出玉排出通路４０とを連通させるようになっている。そして、上記流路切換ソレノイド３８が励磁されるのは、前記貸出ボタン２３ａ〜２３ｃのいずれかが操作されたときである。このように、景品玉排出通路３９と貸出玉排出通路４０とを介してそれぞれ景品玉と貸出玉とを排出することにより、入賞に基づく景品玉の払出の確認と貸出要求に基づく貸出玉の払出の確認を正確に行うことができる。
　　　【００１５】
　上記した排出通路のうち、景品玉排出通路３９の途中には、排出された景品玉が衝突して音を発生するベル４１が設けられ、該ベル４１に衝突した景品玉が前記景品玉流出口１５ａ方向に誘導されるようになっている。そして、排出される景品玉が多くなって上皿１４に景品玉が多量に貯留されて満杯となったときには、ベル４１の下方から景品玉が溢れて余剰玉排出通路４２に流れ出し、前記下皿１７に導かれるようになっている。また、余剰玉排出通路４２を構成する後面壁には、音声を発生するスピーカ４３が取着されている。このスピーカ４３は、前記した景品玉の排出時及び貸出玉の排出時の音声を発生するものであり、下皿１７の開口を通って遊技者に音声が到達するようになっている。
　　　【００１６】
　また、パチンコ機１の背面には、前記遊技盤６に設けられる遊技装置の遊技動作を制御する遊技装置制御基板４５が設けられ、前記前面枠３の裏面下部には、打球を発射する打球発射装置４４と、前記カード装置制御基板２５と、主として前記景品玉排出装置３３を駆動制御する排出装置制御基板５０とが設けられている。カード装置制御基板２５と排出装置制御基板５０とは、相互に接続され、必要な情報をやり取りしている。
　　　【００１７】
　次に、上記のように構成されるパチンコ機１において、前記景品玉排出装置３３を駆動制御する排出装置制御基板５０について図１を参照して説明する。図１は、排出装置制御基板５０に形成される制御回路のブロック図である。図において、制御回路には、制御中枢としてのマイクロコンピュータ（ＣＰＵ）５１が使用されている。そのマイクロコンピュータ５１には、外部ＲＯＭ５２、外部ＲＡＭ５３が接続されている。外部ＲＡＭ５３には、第１入賞玉検出スイッチ２９の検出信号を加減算記憶する記憶領域である第１入賞カウンタ５４と第２入賞玉検出スイッチ３０の検出信号を加減算記憶する領域である第２入賞カウンタ５５と、排出玉検出スイッチ３６からの信号数を計数記憶する排出玉カウンタ５６とが設定されている。
　　　【００１８】
　一方、入賞玉を検出する第１入賞玉検出スイッチ２９及び第２入賞玉検出スイッチ３０、景品玉排出装置３３で排出される玉を検出する排出玉検出スイッチ３６は、チャタリングを防止するためのフリップフロップからなる波形整形回路５７を介してマイクロコンピュータ５１に接続されている。クロック発生回路５９は、分周器５８を介して外部割込み信号をマイクロコンピュータ５１のＩＮＴ端子に出力している。そして、その外部割込み信号に同期してマイクロコンピュータ５１は、図２〜図４のメインプログラムを実行する。また、電源回路６１に電源が投入されると、リセット信号発生回路６０がリセット信号を出力する。そのリセット信号は、マイクロコンピュータ５１のＲＳＴ１端子に入力され、図示しない初期プログラムが起動される。
　　　【００１９】
　また、マイクロコンピュータ５１は、前記カード装置制御基板２５から出力される信号が入力するようになっている。カード装置制御基板２５から導出される信号としては、貸出スイッチＡ〜Ｃの貸出要求信号である。一方、マイクロコンピュータ５１からもカード装置制御基板２５に信号を出力している。例えば、入賞による景品玉の排出動作中であるという信号や貸出玉の排出動作中であるという信号等である。
　　　【００２０】
　マイクロコンピュータ５１の各出力ポートには、ドライバ６２、６３、音声合成回路６４が接続されている。ドライバ６２は、マイクロコンピュータ５１からの信号に応じて、流路切換ソレノイド３８の駆動を制御し、ドライバ６３は、マイクロコンピュータ５１からの信号に応じて排出ソレノイド３５の駆動を制御する。また、音声合成回路６４は、内部にＣＰＵや複数の音声データを記憶する記憶領域、Ｄ／Ａコンバータ、アンプ等とを含み、ＣＰＵ５１から導出される排出指令信号の種類に基づいて複数の音声データのうちから１つを選択して音声合成回路６４に接続される前記スピーカ４３からその選択された音声を出力するように駆動制御するようになっている。なお、音声合成回路６４に代えてサウンドジェネレータを使用してもよい。
　　　【００２１】
　次に、上記した制御回路によって制御される排出動作をマイクロコンピュータ５１の処理手順を示した図２〜図４のフローチャートに基づいて説明する。
　　　【００２２】
　初期セット後、分周器５８から出力される外部割込み信号が入力される毎に、ＣＰＵ５１は、図２〜図４のメインプログラムを実行する。まず、図２において、ステップ１０でタイマＴの更新処理が行われ、ステップ２０でスイッチ群（第１入賞玉検出スイッチ２９、第２入賞玉検出スイッチ３０、排出玉検出スイッチ３６）の状態信号が読み込まれる。しかして、ステップ３０、５０、７０で各信号状態が有るか否かが判断され、信号がある時にのみ、各カウンタを更新する。具体的には、第１入賞玉検出ＳＷ２９からの信号があるときには、ステップ４０で第１入賞カウンタ５４の値が１づつ更新され、第２入賞玉検出ＳＷ３０からの信号があるときには、ステップ６０で第２入賞カウンタ５５の値が１づつ更新され、排出玉検出ＳＷ３６からの信号があるときには、ステップ８０で排出玉カウンタ５６の値が１づつ更新される。
　　　【００２３】
　次に、ステップ９０でカード装置制御基板２５からの貸出玉の貸出要求信号が読み込まれる。即ち、ステップ１００で貸出ボタンＳＷＡのＯＮ信号があるときには、ステップ１１０で貸出フラグＡがセットされ、ステップ１２０で貸出ボタンＳＷＢのＯＮ信号があるときには、ステップ１３０で貸出フラグＢがセットされ、ステップ１４０で貸出ボタンＳＷＣのＯＮ信号があるときには、ステップ１５０で貸出フラグＣがセットされる。
　　　【００２４】
　次のステップ１６０〜ステップ５００は、各状態に応じた処理ステップである。そこで、各状態に分けて説明する。
（１）入賞玉があったときの処理
　入賞玉が発生したときには、前記したステップ４０又はステップ６０で各入賞カウンタＣ１、Ｃ２の値が１づつ更新される。そして、図３に示すステップ１９０又はステップ２３０で各入賞カウンタの値が１以上であると判断されたときに以下の処理をする。まず、ステップ１９０で第１入賞カウンタＣ１の値が１以上であると判断されたときには、ステップ２００で排出数αが「７」に設定され、ステップ２１０で音声データの位置がＡにセットされる。音声データＡから始まる音声データとしては、例えば、「チリン」を１回発生する音声（効果音）が記憶されている。その後、ステップ２２０で第１入賞カウンタＣ１の値が「１」減算される。一方、ステップ２３０で第２入賞カウンタＣ２の値が１以上であると判断されたときには、ステップ２４０で排出数αが「１５」に設定され、ステップ２５０で音声データの位置がＢにセットされる。音声データＢから始まる音声データとしては、例えば、「チリン」を３回発生する音声が記憶されている。その後、ステップ２６０で第２入賞カウンタＣ２の値が「１」減算される。
　　　【００２５】
　上記したステップ１９０〜ステップ２２０又はステップ２３０〜ステップ２６０の処理が終了すると、ステップ２７０で排出ソレノイドフラグをセットすると共に、状態フラグＦの値を１にする。その後、ステップ２８０で排出玉カウンタＤの値が前記ステップ２００又はステップ２４０で設定したαに達するまでステップ２８０、５００、１０〜１６０、２８０の処理を繰り返す。そして、図４に示すステップ５００では、前記ステップ２７０で排出ソレノイドフラグがセットされているので排出ソレノイド３５が励磁されて景品玉の排出動作が行われ、前記ステップ２１０又はステップ２５０で音声データがセットされているのでスピーカ４３から予め定めた音声が発生される。
　　　【００２６】
　一方、前記ステップ２８０で排出玉カウンタＤの値が排出数αに達したと判断されたときには、ステップ２９０で排出ソレノイドフラグがリセットされると共に、排出玉カウンタＤがクリアされ、その後、ステップ３００で景品玉の排出動作を区切るインターバルタイマＴがセットされると共に、状態フラグＦが２に設定される。その後、ステップ３１０でタイマＴがタイムアップしたと判断されるまでステップ３１０、５００、１０〜１７０、３１０の処理を繰り返す。そして、ステップ５００では、前記ステップ２９０で排出ソレノイドフラグがリセットされているので排出ソレノイド３５が非励磁状態となり、景品玉の排出動作が停止されている。上記したインターバルタイマＴがタイムアップすると、ステップ３２０で状態フラグの値が０に設定され、その後、ステップ５００に移行してその処理を実行後、割込処理を終了する。
　　　【００２７】
　（２）貸出玉の貸出要求があったとき
　遊技者が貸出玉を借り受けるべく貸出ボタン２３ａ〜２３ｃのいずれかを操作したときには、前記ステップ１１０、１３０、１５０で対応する貸出フラグＡ〜Ｃがセットされる。そして、前記ステップ１９０及びステップ２３０で入賞玉の記憶が共にないと判断されたときには、図４に示す貸出玉の排出動作を処理するステップに移行する。しかして、貸出フラグＡがセットされている場合には、ステップ３３０でＹｅｓと判断されて、次のステップ３４０で設定数αが２５に設定され、ステップ３５０で音声データの位置がＣにセットされる。音声データＣから始まる音声データとしては、例えば、「アリガトウゴザイマシタ」を１回発生する音声が記憶されている。その後、ステップ３６０で貸出フラグＡがリセットされる。一方、ステップ３７０で貸出フラグＢがセットされていると判断された場合には、次のステップ３８０で設定数αが７５に設定され、ステップ３９０で音声データの位置がＤにセットされる。音声データＤから始まる音声データとしては、例えば、「アリガトウゴザイマシタ」を２回発生する音声が記憶されている。その後、ステップ４００で貸出フラグＢがリセットされる。更に、ステップ４１０で貸出フラグＣがセットされていると判断された場合には、次のステップ４２０で設定数αが１２５に設定され、ステップ４３０で音声データの位置がＥにセットされる。音声データＥから始まる音声データとしては、例えば、「アリガトウゴザイマシタ」を３回発生する音声が記憶されている。その後、ステップ４４０で貸出フラグＣがリセットされる。
　　　【００２８】
　上記したステップ３３０〜ステップ３６０又はステップ３７０〜ステップ４００又はステップ４１０〜ステップ４４０の処理が終了すると、ステップ４５０で流路切換ソレノイドフラグをセットした後、ステップ４６０で排出ソレノイドフラグをセットすると共に、状態フラグＦの値を３にする。その後、ステップ４７０で排出玉カウンタＤの値が前記ステップ３４０又はステップ３８０又はステップ４２０で設定したαに達するまでステップ４７０、５００、１０〜１８０、４７０の処理を繰り返す。そして、ステップ５００では、前記ステップ４５０で流路切換ソレノイドフラグがセットされているので流路切換ソレノイド３８が励磁されて景品玉排出装置３３と貸出玉排出通路４０とを連通させていると共に、前記ステップ４６０で排出ソレノイドフラグがセットされているので排出ソレノイド３５が励磁されて景品玉の排出動作が行われ、前記ステップ３５０又はステップ３９０又はステップ４３０で音声データがセットされているのでスピーカ４３から予め定めた音声が発生される。
　　　【００２９】
　一方、前記ステップ４７０で排出玉カウンタＤの値が設定数αに達したと判断されたときには、ステップ４８０で排出ソレノイドフラグがリセットされると共に、排出玉カウンタＤ及び状態フラグＦがクリアされ、その後、ステップ４９０で流路切換ソレノイドフラグがリセットされ、ステップ５００へ移行する。そして、ステップ５００では、前記ステップ４８０で排出ソレノイドフラグがリセットされているので排出ソレノイド３５が非励磁状態となり、景品玉の排出動作が停止されていると共に、前記ステップ４９０で流路切換ソレノイドがリセットされているので流路切換ソレノイド３８が非励磁状態となって景品玉排出装置３３と景品玉排出通路３９とを連通させる。なお、流路切換弁３７の移動時間を確保するために、前記ステップ４５０の流路切換フラグがセットされた後、及び前記ステップ４９０の流路切換フラグがリセットされた後に、一定時間（例えば、０．５秒）のタイマをセットし、そのタイマがタイムアップした後に次の処理に進むようにしてもよい。
　　　【００３０】
　以上、実施形態に係る玉排出装置としての景品玉排出装置３３の動作について説明したが、本実施形態においては、複数の景品玉排出指令信号のうち、７個用の排出指令信号又は１３個用の排出指令信号が導出されると、それに対応する音声データが選択され、スピーカ４３から出力される。また、複数の貸出玉排出指令信号のうち、１００円用の排出指令信号又は３００円用の排出指令信号又は５００円用の排出指令信号が導出されると、それに対応する音声データが選択され、スピーカ４３から出力される。このため、遊技者は、遊技盤６を注視したままでも、どの種類の景品玉又は貸出玉が排出されたかを聴覚的に知ることができ、遊技に集中することができる。
　　　【００３１】
　なお、上記した実施形態では、図１に示すように、排出装置制御基板５０に含まれる音声合成回路６４によってスピーカ４３から音声を発生させるようにしたものを示したが、図８に示すように、排出装置制御基板５０には、音声合成回路６４を設けず、遊技装置制御基板４５に含まれる音声合成回路４５ｂを兼用することによってスピーカ４３から排出指令信号に応じた音声を発生するようにしても良い。この場合、遊技装置制御基板４５に含まれる音声合成回路４５ｂは、遊技動作に関連した効果音を発生するための音声データが収納されていると共に、遊技動作を制御するＣＰＵ４５ａによって制御されるものであり、そのＣＰＵ４５ａには、排出装置制御基板５０に含まれるＣＰＵ５１によって導出制御される排出指令信号が入力されるようになっている。このように構成することにより音声合成回路を排出装置制御基板５０から省略することができる。なお、図８に示す実施形態では、カード装置制御基板２５に含まれるＣＰＵ２５ａと排出装置制御基板５０に含まれるＣＰＵ５１とによって必要なデータのやり取りが行われている。
　　　【００３２】
　更に、玉排出装置としての景品玉排出装置３３を単独で制御する排出装置制御基板５０のような制御基板を設けずに、図９に示すように、景品玉排出装置３３の動作を遊技装置制御基板４５で制御するようにしても良い。このように構成することにより更にコストを低減することができる。
　　　【００３３】
　また、上記した実施形態においては、１つの景品玉排出装置３３によって景品玉の排出動作と貸出玉の排出動作を行うものを示したが、景品玉排出装置３３は、景品玉排出動作だけを行わせ、貸出玉の排出動作は、従来と同様にパチンコ機とパチンコ機の間にある台問玉貸機によって行うようにしてもよい。この場合、排出指令信号は、本実施形態と同様にパチンコ機本体に設けられるカード装置２０の貸出ボタン２３ａ〜２３ｃの操作によって導出されてもよいし、あるいは、台間玉貸機自体に設けられる貸出ボタンの操作によって導出されるようになっていてもよい。
　　　【００３４】
　また、上記実施形態では、カード装置２０をパチンコ機１側に設けたものを示したが、カード装置２０を構成する部品のうち、残額表示器２２と貸出ボタン２３ａ〜２３ｃと終了スイッチ２４だけをパチンコ機１側（例えば、上皿１４又は下皿１７）に設け、カード挿入口２１やカード装置制御基板２５等を台間玉貸機側に設けてカード装置を構成しても良い。この場合、パチンコ機１側に設けられる各部品のうち一部又は全部を重複して台間玉貸機側にも設けても良い。
　　　【００３５】
　また、上記実施形態では、複数の貸出ボタン２３ａ〜２３ｃを有するカード装置２０を示したが、１つの貸出ボタンだけを設け、その１つの貸出ボタンが操作されたときに貸し出される貸出玉の数を変更できる変更手段をカード装置制御基板２５に設けたものでも良い。この場合、貸出玉の数に応じて発生される音声を変化させても良いし、変化させなくても良い。
　　　【００３６】
　また、本発明の技術思想は、パチンコ機又は玉貸機単独でそれぞれの排出指令信号に応じて音声を発生させるものにも適用される。また、音声データとしても、実施形態に示すような音声に限らず、音楽等であってもよく、任意に設定すれば良い。
　　　【００３７】
　　【発明の効果】
　以上説明したところがら明らかなように、本発明においては、貸出玉と景品玉とが上皿と玉排出装置との間に形成される別々の通路
であって貸出玉を誘導し且つ貸出玉を下皿に導くことのない貸出玉排出通路と景品玉を誘導し且つ溢れた景品玉を下皿に導く景品玉排出通路と
【図面の簡単な説明】
　　【図１】
　実施形態に係る玉排出装置を駆動制御する制御回路のブロック図である。
　　【図２】
　図１に示す制御回路の動作の一部を示すフロー図である。
　　【図３】
　図１に示す制御回路の動作の一部を示すフロー図である。
　　【図４】
　図１に示す制御回路の動作の一部を示すフロー図である。
　　【図５】
　実施形態に係る玉排出装置が適用されるパチンコ機の正面から見た斜視図である。
　　【図６】
　パチンコ機の背面図である。
　　【図７】
　玉排出装置の一例である景品玉排出装置の概略正面図である。
　　【図８】
　排出装置制御基板と遊技装置制御基板との他の関係を示すブロック図である。
　　【図９】
　排出装置を遊技装置制御基板で制御する場合のブロック図である。
　　【符号の説明】
　　１　パチンコ機
　１４　上皿
　１５ａ　景品玉流出口
　１５ｂ　貸出玉流出口
　２３ａ〜２３ｃ　貸出ボタン
　２９　第１入賞玉検出スイッチ
　３０　第２入賞玉検出スイッチ
　３３　景品玉排出装置（玉排出装置）
　３９　景品玉排出通路
　４０　貸出玉排出通路
　４３　スピーカ
　５１　ＣＰＵ
　６４　音声合成回路